(57)【特許請求の範囲】
【請求項１】
１つもしくは複数のアンテナ入力端子やアンテナを具備する受信機において、
微弱電力の測定用信号送出機能とＳＷＲ測定機能とを持たせ、個々のアンテナに対しごく微弱な電波を送出することでＳＷＲ値を測定して、接続されているアンテナが利用しようとしている周波数帯のアンテナであるかを判定し、この判定結果を利用者に知らせることを特徴とするアンテナ・セルフチェック機能付き受信機。
【請求項２】
１つもしくは複数のアンテナ入力端子やアンテナを具備する受信機において、
微弱電力の測定用信号送出機能とＳＷＲ測定機能とを持たせ、個々のアンテナに対しごく微弱な電波を送出することでＳＷＲ値を測定して、接続されているアンテナがどの周波数帯用のアンテナかを判定することを特徴とするアンテナ・セルフチェック機能付き受信機。
【請求項３】
複数のアンテナ入力端子やアンテナ、およびアンテナ切り替え機能、および異なった周波数帯のチューナを複数具備する受信機において、
微弱電力の測定用信号送出機能とＳＷＲ測定機能とを持たせ、個々のアンテナに対しごく微弱な電波を送出することでＳＷＲ値を測定して、利用者は目的とするアンテナであるか否かを意識する必要なく、受信機の判定により目的とするアンテナへ自動で切り替えを行うことを特徴とするアンテナ・セルフチェック機能付き受信機。
【請求項４】
１つもしくは複数のアンテナ入力端子やアンテナを具備する受信機において、
本来それらのアンテナで使用しない周波数帯で送信できる測定用信号送信機能とＳＷＲ測定機能とを持たせ、個々のアンテナに本来それらのアンテナで用いる周波数とは異なる周波数の電波を送出することでＳＷＲ値を測定して、接続されているアンテナが利用しようとしている周波数帯のアンテナであるかを判定し、この判定結果を利用者に知らせることを特徴とするアンテナ・セルフチェック機能付き受信機。
【請求項５】
１つもしくは複数のアンテナ入力端子やアンテナを具備する受信機において、
本来それらのアンテナで使用しない周波数帯で送信できる測定用信号送信機能とＳＷＲ測定機能とを持たせ、個々のアンテナに本来それらのアンテナで用いる周波数とは異なる周波数の電波を送出することでＳＷＲ値を測定して、接続されているアンテナがどの周波数帯用のアンテナかを判定することを特徴とするアンテナ・セルフチェック機能付き受信機。
【請求項６】
複数のアンテナ入力端子やアンテナ、およびアンテナ切り替え機能、および異なった周波数帯のチューナを複数具備する受信機において、
本来それらのアンテナで使用しない周波数帯で送信できる測定用信号送信機能とＳＷＲ測定機能とを持たせ、個々のアンテナに本来それらのアンテナで用いる周波数とは異なる周波数の電波を送出することでＳＷＲ値を測定して、利用者は目的とするアンテナであるか否かを意識する必要なく、受信機の判定により目的とするアンテナへ自動で切り替えを行うことを特徴とするアンテナ・セルフチェック機能付き受信機。
【発明の詳細な説明】
【０００１】
【発明の属する技術分野】
本発明は、アンテナ・セルフチェック機能付き受信機に係り、特に、受信機に接続されているアンテナの状態を判別するために、放送電波などの妨げにならないように、測定用電磁波を微弱、もしくは妨げにならない別の周波数で送出して、確認できるようにした受信機に関するものである。
【０００２】
【従来の技術】
従来、受信機では、電波の到来状況は判定できるものの、アンテナシステムの経年劣化や断線などアンテナ側で起きた受信障害を、アンテナが原因であるとは断定できるものでは無く、受信障害が発生すると、それがアンテナに起因するものか、受信機に起因するものか、放送電波自体のトラブルによるものか、判別が困難であった。つまり、従来の受信機には、一般的に、接続されているアンテナの電気的特性を調べる手段が、これまで機能としては備えられていなかっために、接続中のアンテナが受信機にとって適正なアンテナであるかを判別することはできなかった。
【０００３】
これに対し、特開平１０−２８５０５６号公報には、アンテナと送信機がミスマッチになった時に、別のアンテナへ切り替えることによって、アンテナからの送信電波の効率放射を実現させるようにした技術が開示されている。つまり、アンテナのＳＷＲ（Standig Wave Ratio；定在波比）を測定することにより、アンテナと送信機のミスマッチを検出するようにした技術が示されている。
【０００４】
また、特開平９−２１９６６５号公報には、サーキューレータを用いた無線装置において、サーキュレータの特性を利用して、アンテナ接続端からの反射波の状態を測定することで、アンテナの未接続告知を実現させるようにした技術が開示されている。しかし、この公開公報に開示された技術は、ＳＷＲ（定在波比）を測定することにより、アンテナのインピーダンスの状態を調べるようにしたものではない。
【０００５】
また、特開平８−１１６３１６号公報には、自動車電話やポケットベル等の移動機に搭載されているアンテナの動作を診断する機能を備えた受信用空中線の動作監視装置において、試験信号発生機能と、その信号のアンテナからの戻りを元の信号と比較し、リターンロスとＳＷＲを測定する測定機能とによって、アンテナの状態を判定するようにした技術が開示されている。つまり、この公開公報にも、ＳＷＲを測定することにより、アンテナのインピーダンスの状態を調べるようにした技術が示されている。
【０００６】
【発明が解決しようとする課題】
上述したように、これまでの一般的な受信機においては、受信障害は、アンテナを起因とするトラブルか、受信機を起因とするトラブルかが、わかりずらいと言う問題があった。
【０００７】
なお、前記特開平１０−２８５０５６号公報、前記特開平８−１１６３１６号公報には、ＳＷＲを測定することにより、アンテナのインピーダンスの状態を調べるようにした技術が記載されているが、アンテナの受信状態の計測時に、受信機が近隣の他の受信機に対して電波漏れによる電波障害を発生させることを考慮した技術思想は、示されていない。また、近隣の受信機へ電波漏れによる電波障害の発生を配慮する必要がある放送分野において、この電波障害の発生を回避しつつ、アンテナシステムの経年劣化を判定したり、複数接続されたアンテナの切り替えや組み合わせの判定手段として考えられたものでもない。
【０００８】
【課題を解決するための手段】
本願の各請求項に係る発明は、上記した事情・技術的課題に鑑みてなされたものであり、以下に述べるような技術的手段を備える。
【０００９】
本願の請求項１に係る発明は、１つもしくは複数のアンテナ入力端子やアンテナを具備する受信機において、微弱電力の測定用信号送出機能とＳＷＲ測定機能とを持たせ、個々のアンテナに対しごく微弱な電波を送出することでＳＷＲ値を測定して、接続されているアンテナが利用しようとしている周波数帯のアンテナであるかを判定し、この判定結果を利用者に知らせるように、構成される。
【００１０】
本願の請求項２に係る発明は、１つもしくは複数のアンテナ入力端子やアンテナを具備する受信機において、微弱電力の測定用信号送出機能とＳＷＲ測定機能とを持たせ、個々のアンテナに対しごく微弱な電波を送出することでＳＷＲ値を測定して、接続されているアンテナがどの周波数帯用のアンテナかを判定するように、構成される。
【００１１】
本願の請求項３に係る発明は、複数のアンテナ入力端子やアンテナ、およびアンテナ切り替え機能、および異なった周波数帯のチューナを複数具備する受信機において、微弱電力の測定用信号送出機能とＳＷＲ測定機能とを持たせ、個々のアンテナに対しごく微弱な電波を送出することでＳＷＲ値を測定して、利用者は目的とするアンテナであるか否かを意識する必要なく、受信機の判定により目的とするアンテナへ自動で切り替えを行うように、構成される。
【００１２】
本願の請求項４に係る発明は、１つもしくは複数のアンテナ入力端子やアンテナを具備する受信機において、本来それらのアンテナで使用しない周波数帯で送信できる測定用信号送信機能とＳＷＲ測定機能とを持たせ、個々のアンテナに本来それらのアンテナで用いる周波数とは異なる周波数の電波を送出することでＳＷＲ値を測定して、接続されているアンテナが利用しようとしている周波数帯のアンテナであるかを判定し、この判定結果を利用者に知らせるように、構成される。
【００１３】
本願の請求項５に係る発明は、１つもしくは複数のアンテナ入力端子やアンテナを具備する受信機において、本来それらのアンテナで使用しない周波数帯で送信できる測定用信号送信機能とＳＷＲ測定機能とを持たせ、個々のアンテナに本来それらのアンテナで用いる周波数とは異なる周波数の電波を送出することでＳＷＲ値を測定して、接続されているアンテナがどの周波数帯用のアンテナかを判定するように、構成される。
【００１４】
本願の請求項６に係る発明は、複数のアンテナ入力端子やアンテナ、およびアンテナ切り替え機能、および異なった周波数帯のチューナを複数具備する受信機において、本来それらのアンテナで使用しない周波数帯で送信できる測定用信号送信機能とＳＷＲ測定機能とを持たせ、個々のアンテナに本来それらのアンテナで用いる周波数とは異なる周波数の電波を送出することでＳＷＲ値を測定して、利用者は目的とするアンテナであるか否かを意識する必要なく、受信機の判定により目的とするアンテナへ自動で切り替えを行うように、構成される。
【００２７】
上述したように、本発明では、受信機に接続されているアンテナの状態を判別するために、放送電波などの妨げにならないよう測定用電磁波を微弱もしくは妨げにならない別の周波数で送出して、アンテナの状態を確認するようにしている。これによって、これまで、受信障害は、アンテナを起因とするトラブルか、受信機を起因とするトラブルかがわかりずらかったが、受信機から使用者へアンテナの状態を明示させたり、受信機の判断で他の適正なアンテナへ切り替えて、問題を解決することが可能となり、かつ、近隣の他の受信機に対して電波漏れによる電波障害を発生させる虞もないものとすることができる。
【００２８】
また、本発明では、受信機とアンテナの接続も利用者は適正な組み合わせを意識する必要が無く、接続後に受信機が誤りを利用者に知らせたり、受信機側で自動的に組み合わせを変えることが可能で、どのアンテナをどの受信機につなぐべきか、またどの端子に接続すべきかを考える必要が無いという利便性がある上、誤接続による受信障害も解消される。例えば、放送周波数帯の再編成などの際に、アンテナと受信機のつなぎ換え作業が予想されるが、こういった場合にも、アンテナと受信機の適正な接続が簡単に行える。これは、１つの端子で複数の周波数帯のアンテナと接続するいわゆる分波器を搭載する場合に比べても、その構造上、本発明の方が信号損失も少なくて済む。また、放送電波などが送出されていない状況下でも動作が可能で、アンテナの電気的適正の確認や断線判定の他に、定期測定を自動実施することで、その測定値の比較によって経年劣化と破損の違いの判定も可能となり、受信機側から利用者にこれらの情報を知らせることができる。
【００２９】
さらにまた、今後個々の家電機器にネットワーク機能を持たせて、外部からの制御や故障情報の伝達に役立てる商品が考えられているが、これまでは判別できなかったアンテナに起因する障害が、本発明を利用することで明確になり、その情報をデータとしてネットワークを通じて、サービス業者や技術者に伝えることが可能となる。
【００３０】
【発明の実施の形態】
以下、本発明の実施の形態を、図面を用いて説明する。
【００３１】
本願の実施形態では、受信機に、通常の受信状態とは異なるアンテナ状態測定用の信号経路を設け、アンテナの状態を調査する際には、測定用信号発生部から微弱なもしくは妨げにならない周波数で電磁波を発生させてＳＷＲ測定を行い、測定値をもとにＳＷＲ値が一定の値を上回るか下回るかや、その値の大小、また、定期的に測定し記録することによる経年的な比較などによって、アンテナがどんな状態に有るかを受信機自身に判明させ、利用者に知らせたり、自動的に最適なアンテナに切り替えたり、ネットワーク機能によってアンテナの障害をデータとして発信するようにしている。
【００３２】
つまり、本願の実施形態では、アンテナの状態を調べるための測定用信号発生機能は、周囲に電波障害などの影響を与えず、法的に問題のない程度の微弱な電磁波の発生できるものとしている。また、送出される電磁波の周波数が受信機の受信可能周波数帯である場合は、この際に受信機自身のチューナ部への電磁波の回り込みに配慮するため、受信機内でのチューナ部と測定用信号発生部の距離を離したり、一時的に受信機能を停止させたり、受信機能が働いていないスタンバイ状態の期間に実施するようにしている。
【００３３】
あるいは、本願の実施形態では、アンテナの状態を調べるための測定用信号発生機能は、放送などで利用されていない周波数の電波を送信できるものとしている。
【００３４】
＜第１実施形態＞
図１は、本発明の第１実施形態に係る受信機の要部構成を示すブロック図である。図１において、１はアンテナ、２は受信機の全体制御を司る制御部、３は信号経路切替制御部、４は経路切替器、５は測定用信号発生部、６はＳＷＲ測定部、７はチューナ部、８は信号処理部、９はユーザーインターフェース部である。
【００３５】
本実施形態では、アンテナ１からの信号経路に経路切替器４を設けることで、１つはチューナ部７へつなぎ、他方はＳＷＲ測定部６と測定用信号発生部５へつなぐことを可能としている。それぞれの経路は、制御部２から発する切替信号によって稼動する経路切替器４によって、択一選択されて切り替えられ、通常の受信状態ではチューナ部７への経路が選択された状態で使用する。
【００３６】
アンテナの状態を調査する際には、ＳＷＲ測定部６と測定用信号発生部５へつなぐ経路へと切り替えて、測定用信号発生部５から受信機で受信可能な周波数の微弱な電磁波（電波）を送出させ、ＳＷＲ測定部６でＳＷＲ値を測定する。そして、制御部２は、ＳＷＲ値が一定の値よりも低い値を示す場合、アンテナ１は受信機で利用できる周波数帯のアンテナであると判定し、また、ＳＷＲ値が全反射を示すような値の場合、アンテナ１は断線かまたは接続されていない状態であると判定し、また、ＳＷＲ値が一定の値よりも大きい値を示す場合には、そのアンテナ１が利用できない周波数帯のアンテナであると判定して、この判定結果を、ユーザーインターフェース部９によって利用者へを通知する。
【００３７】
アンテナに対する状態の調査処理は、一定周期をもって継続的に行われても良いし、必要に応じて利用者などが適宜の時期に実施させるようにしてもよい（これは、以下の各実施形態においても、同様である）。
【００３８】
なお、本実施形態では、測定用の電磁波の周波数が、受信機の受信可能周波数帯であるので、アンテナの状態を調査する際には、経路切替器４によってチューナ部の受信機能を停止させて、チューナ部への電磁波の回り込みによる影響を回避するようにしているが、チューナ部への電磁波の回り込みに配慮するため、受信機内でのチューナ部と測定用信号発生部の距離を離したり、受信機能が働いていないスタンバイ状態の期間にアンテナの状態チェックを実施するようにしてもよい（これは、アンテナの状態測定用の電磁波の周波数が、受信機の受信可能周波数帯であるような、以下の各実施形態においても同様である）。
【００３９】
＜第２実施形態＞
図２は、本発明の第２実施形態に係る受信機の要部構成を示すブロック図であり、同図において、先の実施形態で説明した構成要素と均等なものには、同一符号を付してある（これは、以下の各実施形態においても、同様である）。図２において、１０は経年変化情報記憶部である。
【００４０】
本実施形態では、アンテナ１からの信号経路に経路切替器４を設けることで、１つはチューナ部７へつなぎ、他方はＳＷＲ測定部６と測定用信号発生部５へつなぐことを可能としている。それぞれの経路は、制御部２から発する切替信号によって稼動する経路切替器４によって、択一選択されて切り替えられ、通常の受信状態ではチューナ部７への経路が選択された状態で使用する。
【００４１】
アンテナの状態を調査する際には、ＳＷＲ測定部６と測定用信号発生部５へつなぐ経路へと切り替え、測定用信号発生部５から受信機で受信可能な周波数の微弱な電磁波を送出させて、ＳＷＲ測定部６でＳＷＲ値を測定する。そして、制御部２は、測定したＳＷＲ値を経年変化情報記憶部１０へ時系列に、もしくは時間情報と共に蓄積させる。また、制御部２は、この蓄積処理の際に、測定したＳＷＲ値と経年変化情報記憶部１０中の最新のＳＷＲ値との比較を行い、一定の変動率や変動量を超えて極端に値が悪くなった場合には、アンテナの損傷であると判断し、また、一定の変動率や変動量の範囲内であったとしても一定の値を超えてしまった場合には、アンテナの劣化と判定して、この判定結果を、ユーザーインターフェース部９によって利用者へ通知する。
【００４２】
＜第３実施形態＞
図３は、本発明の第３実施形態に係る受信機の要部構成を示すブロック図である。
【００４３】
本実施形態では、アンテナ１からの信号経路に経路切替器４を設けることで、１つはチューナ部７へつなぎ、他方はＳＷＲ測定部６と測定用信号発生部５へつなぐことを可能としている。それぞれの経路は、制御部２から発する切替信号によって稼動する経路切替器４によって、択一選択されて切り替えられ、通常の受信状態ではチューナ部７への経路が選択された状態で使用する。
【００４４】
アンテナの状態を調査する際には、ＳＷＲ測定部６と測定用信号発生部５へつなぐ経路へと切り替え、測定用信号発生部５から微弱な電磁波を、予想される複数の周波数を１つの周波数ごとに順次送出させて、ＳＷＲ測定部６でＳＷＲ値を測定する。そして、制御部２は、一定の値が得られた周波数が存在すれば、接続されたアンテナ１がどの周波数帯用のものかを判定し、ユーザーインターフェース部９によって利用者へその内容を通知する。
【００４５】
＜第４実施形態＞
図４は、本発明の第４実施形態に係る受信機の要部構成を示すブロック図でありあり、同図において、１１はアンテナ、１２はアンテナ経路切替制御部、１３きアンテナ切替器である。
【００４６】
本実施形態では、アンテナ１とアンテナ１１からの信号経路を、受信機内でアンテナ切替器１３によって切り替えられる構成とし、更にその信号は経路切替器４を設けることで、１つはチューナ部７へつなぎ、他方はＳＷＲ測定部６と測定用信号発生部５へつなぐことを可能としている。それぞれのアンテナは、制御部２とアンテナ経路切替制御部１２とアンテナ切替器１３とによって、択一選択されて切り替えて使用され、また、それぞれの受信機内への信号経路は、制御部２と信号経路切替制御部３と経路切替器４とによって、択一選択されて切り替えて使用される。通常の受信状態では、経路切替器４がチューナ部７への経路を選択した状態で使用する。
【００４７】
受信機はアンテナの状態を調査するために、制御部２から信号経路切替制御部３へ経路切替指示を行い、これにより、経路切替器４がＳＷＲ測定部６側への信号経路の切り替えを行うとともに、制御部２から測定用信号発生部５へ微弱な電磁波の送出を指示して、これにより、測定用信号発生部５から微弱な電磁波を、予想される複数の周波数を１つの周波数ごとに順次送出させて、ＳＷＲ測定部６でＳＷＲ値を測定する。そして、制御部２は、一定の値が得られた周波数が存在すれば、調査対象のアンテナがどの周波数帯用のものかを判定する。また、もう一方のアンテナを調査するために、制御部２からアンテナ経路切替制御部１２へアンテナ経路切替指示を行い、これによって、アンテナ切替器１３が現在と違うアンテナへと接続を切り替え、同様に、制御部２は、測定用信号発生部５に対して微弱な電磁波の送出を指示して、これにより、測定用信号発生部５から微弱な電磁波を、予想される複数の周波数を１つの周波数ごとに順次送出させて、ＳＷＲ測定部６でＳＷＲ値を測定する。そして、同様に、制御部２は、一定の値が得られた周波数が存在すれば、調査のために切り替えたアンテナがどの周波数帯用のものかを判定する。この判定の結果、制御部２は、受信機にとっていずれも利用可能な周波数帯用のアンテナであると判断した場合は、よりＳＷＲ値の低い方のアンテナへ自動で切り替え、またいずれのアンテナも利用可能な周波数帯でないと判断した場合も、ＳＷＲ値の低い方のアンテナへ自動で切り替える。
【００４８】
＜第５実施形態＞
図５は、本発明の第５実施形態に係る受信機の要部構成を示すブロック図でありあり、同図において、７’はＡ周波数帯用のチューナ部、１４はＢ周波数帯用のチューナ部、１５はチューナとアンテナの組み合わせ情報記憶部である。
【００４９】
本実施形態では、アンテナ１とアンテナ１１をそれぞれ異なった周波数帯用のアンテナとして、それぞれのアンテナからの信号経路を受信機内でアンテナ切替器１３によって切り替えられる構成とし、さらに、アンテナ切替器１３からの信号は、経路切替器４を設けることで、Ａ周波数帯用のチューナ部７’へつなぐ経路と、Ｂ周波数帯用のチューナ部１４へつなぐ経路と、ＳＷＲ測定部６と測定用信号発生部５へつなぐ経路を、切り替ることが可能となっている。それぞれのアンテナは、制御部２とアンテナ経路切替制御部１２とアンテナ切替器１３とによって、択一選択されて切り替えて使用され、また、それぞれの受信機内への信号経路は、制御部２と信号経路切替制御部３と経路切替器４とによって、択一選択されて使用される。
【００５０】
受信機はアンテナの状態を調査するために、制御部２から信号経路切替制御部３へ経路切替指示を行い、これにより、経路切替器４がＳＷＲ測定部６側への信号経路の切り替えを行うとともに、制御部２から測定用信号発生部５へ微弱な電磁波の送出を指示して、これにより、測定用信号発生部５から微弱な電磁波を、予想される複数の周波数帯を１つの周波数帯ごとに順次送出させて、ＳＷＲ測定部６でＳＷＲ値を測定する。そして、制御部２は、一定の値が得られた周波数が存在すれば、調査対象のアンテナがどの周波数帯用のものかを判定する。また、もう一方のアンテナの状態を調査するために、制御部２からアンテナ経路切替制御部１２へアンテナ経路切替指示を行い、これによって、アンテナ切替器１３が現在と違うアンテナへと接続を切り替え、同様に、制御部２は、測定用信号発生部５に対して微弱な電磁波の送出を指示して、これにより、測定用信号発生部５から微弱な電磁波を、予想される複数の周波数帯を１つの周波数帯ごとに順次送出させて、ＳＷＲ測定部６でＳＷＲ値を測定する。そして、同様に、制御部２は、一定の値が得られた周波数が存在すれば、調査のために切り替えたアンテナがどの周波数帯用のものかを判定する。
【００５１】
制御部２は、これらの判定結果をもとに、アンテナ１とアンテナ１１がＡ周波数帯用のチューナ部７’とＢ周波数帯用のチューナ部１４で利用可能であるかを判定し、その組み合わせ情報を、チューナとアンテナの組み合わせ記憶部１５へ格納させる。そして、利用者が受信機を使用する際には、その選局周波数に応じてチューナとアンテナの組み合わせ記憶部１５の情報をもとに、いずれのアンテナに接続すべきかを制御部２が判断し、信号系経路とアンテナがそれぞれ選択される。なお、制御部２は、受信機にとっていずれも利用可能な周波数帯用のアンテナあると判断した場合は、よりＳＷＲ値の低い方のアンテナとチューナの組み合わせとし、またいずれのアンテナも利用可能な周波数帯でないと判断した場合も、ＳＷＲ値の低い方のアンテナへの組合せとする。
【００５２】
＜第６実施形態＞
図６は、本発明の第６実施形態に係る受信機の要部構成を示すブロック図であり、同図において、１６は、インターネットなどのネットワークを通じて外部装置と通信を行うネットワーク通信部である。本実施形態の受信機の構成は、図２に示した前記第２実施形態の受信機の構成に、ネットワーク通信機能を付加したものとなっている。
【００５３】
本実施形態では、アンテナ１からの信号経路に経路切替器４を設けることで、１つはチューナ部７へつなぎ、他方はＳＷＲ測定部６と測定用信号発生部５へつなぐことを可能としている。それぞれの経路は、制御部２から発する切替信号によって稼動する経路切替器４によって、択一選択されて切り替えられ、通常の受信状態ではチューナ部７への経路が選択された状態で使用する。
【００５４】
アンテナの状態を調査する際には、ＳＷＲ測定部６と測定用信号発生部５へつなぐ経路へと切り替え、測定用信号発生部５から受信機で受信可能な周波数の微弱な電磁波を送出させて、ＳＷＲ測定部６でＳＷＲ値を測定する。そして、制御部２は、測定したＳＷＲ値を経年変化情報記憶部１０へ時系列に、もしくは時間情報と共に蓄積させる。また、制御部２は、この蓄積処理の際に、測定したＳＷＲ値と経年変化情報記憶部１０中の最新のＳＷＲ値との比較を行い、一定の変動率や変動量を超えて極端に値が悪くなった場合には、アンテナの損傷であると判断し、また、一定の変動率や変動量の範囲内であったとしても一定の値を超えてしまった場合には、アンテナの劣化と判定して、この判定結果を、ユーザーインターフェース部９によって利用者へ通知するとともに、ネットワーク通信部１６によって、インターネットなどのネットワークを通じて、外部の装置に送出する。これにより、遠隔的のサービス会社やメーカー技術者へ状況を伝えることができる。
【００５５】
なお、アンテナに対する状態の調査処理は、遠隔地の技術者やサービス業者などがインターネットなどを通じて実施させるようにしてもよい。
【００５６】
＜第７実施形態＞
図７は、本発明の第７実施形態に係る受信機の要部構成を示すブロック図である。
【００５７】
本実施形態では、アンテナ１からの信号経路を２つに分岐し、一方はチューナ部７へつなぎ、他方はＳＷＲ測定部６と測定用信号発生部５へつないでいる。通常の受信状態では、チューナ部７への信号の流れだけで受信機として動作する。
【００５８】
受信機はアンテナの状態を調査するために、制御部２から測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ（例えば、テレビ受信機では１／２波長の八木アンテナが一般的であるため、これと同一エレメント長で３／２波長で定在波が立つ周波数に設定する）、ＳＷＲ測定部６でＳＷＲ値を測定する。そして、制御部２は、ＳＷＲ値が一定の低い値を示す場合、アンテナ１は受信機で利用できる周波数帯のアンテナであると判定し、また、ＳＷＲ値が全反射を示すような値の場合、アンテナ１は断線かまたは接続されていない状態であると判定し、ＳＷＲ値が一定の値よりも大きい値を示す場合には、そのアンテナ１が利用できない周波数帯のアンテナであると判定し、この判定結果を、ユーザーインターフェース部９によって利用者へを通知する。
【００５９】
＜第８実施形態＞
図８は、本発明の第８実施形態に係る受信機の要部構成を示すブロック図である。
【００６０】
本実施形態では、アンテナ１からの信号経路を２つに分岐し、一方はチューナ部７へつなぎ、他方はＳＷＲ測定部６と測定用信号発生部５へつないでいる。通常の受信状態では、チューナ部７への信号の流れだけで受信機として動作する。
【００６１】
受信機はアンテナの状態を調査するために、制御部２から測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ（例えば、テレビ受信機では１／２波長の八木アンテナが一般的であるため、これと同一エレメント長で３／２波長で定在波が立つ周波数に設定する）、ＳＷＲ測定部６でＳＷＲ値を測定する。そして、制御部２は、測定したＳＷＲ値を経年変化情報記憶部１０へ時系列に、もしくは時間情報と共に蓄積させる。また、制御部２は、この蓄積処理の際に、測定したＳＷＲ値と経年変化情報記憶部１０中の最新のＳＷＲ値との比較を行い、一定の変動率や変動量を超えて極端に値が悪くなった場合には、アンテナの損傷であると判断し、また、一定の変動率や変動量の範囲内であったとしても一定の値を超えてしまった場合には、アンテナの劣化と判定して、この判定結果を、ユーザーインターフェース部９によって利用者へ通知する。
【００６２】
＜第９実施形態＞
図９は、本発明の第９実施形態に係る受信機の要部構成を示すブロック図である。
【００６３】
本実施形態では、アンテナ１からの信号経路を２つに分岐し、一方はチューナ部７へつなぎ、他方はＳＷＲ測定部６と測定用信号発生部５へつないでいる。通常の受信状態では、チューナ部７への信号の流れだけで受信機として動作する。
【００６４】
受信機はアンテナの状態を調査するために、制御部２から測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ（例えば、テレビ受信機では１／２波長の八木アンテナが一般的であるため、これと同一エレメント長で３／２波長で定在波が立つ周波数に設定する）、ＳＷＲ測定部６でＳＷＲ値を測定する。そして、制御部２は、一定の値が得られた周波数が存在すれば、接続されたアンテナがどの周波数帯用のものかを判定し、ユーザーインターフェース部９によって利用者へその内容を通知する。
【００６５】
＜第１０実施形態＞
図１０は、本発明の第１０実施形態に係る受信機の要部構成を示すブロック図である。
【００６６】
本実施形態では、アンテナ１とアンテナ１１からの信号経路を、受信機内でアンテナ切替器１３によって切り替えられる構成とし、さらに、アンテナ切替器１３からの信号経路を２つに分岐し、一方はチューナ部７へつなぎ、他方はＳＷＲ測定部６と測定用信号発生部５へつないでいる。それぞれのアンテナは、制御部２とアンテナ経路切替制御部１２とアンテナ切替器１３とによって、択一選択されて切り替えて使用される。
【００６７】
受信機はアンテナの状態を調査するために、制御部２から測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ（例えば、テレビ受信機では１／２波長の八木アンテナが一般的であるため、これと同一エレメント長で３／２波長で定在波が立つ周波数に設定する）、ＳＷＲ測定部６でＳＷＲ値を測定する。そして、制御部２は、一定の値が得られた周波数が存在すれば、調査対象のアンテナがどの周波数帯用のものかを判定する、また、もう一方のアンテナを調査するために、制御部２からアンテナ経路切替制御部１２へアンテナ経路切替指示を行い、これによって、アンテナ切替器１３が現在と違うアンテナへと接続を切り替え、同様に、制御部２は、測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ、ＳＷＲ測定部６でＳＷＲ値を測定する。そして、同様に、制御部２は、一定の値が得られた周波数が存在すれば、調査のために切り替えたアンテナがどの周波数帯用のものかを判定する。この判定の結果、制御部２は、受信機にとっていずれも利用可能な周波数帯用のアンテナあると判断した場合は、よりＳＷＲ値の低い方のアンテナへ自動で切り替え、またいずれのアンテナも利用可能な周波数帯でないと判断した場合も、ＳＷＲ値の低い方のアンテナへ自動で切り替える。
【００６８】
＜第１１実施形態＞
図１１は、本発明の第１１実施形態に係る受信機の要部構成を示すブロック図である。
【００６９】
本実施形態では、アンテナ１とアンテナ１１をそれぞれ異なった周波数帯用のアンテナとして、それぞれのアンテナからの信号経路を受信機内でアンテナ切替器１３によって切り替えられる構成とし、さらに、アンテナ切替器１３からの信号経路を２つに分岐し、一方は経路切替器４へつなぎ、他方はＳＷＲ測定部６と測定用信号発生部５へつないでいる。また、経路切替器４を設けることで、Ａ周波数帯用のチューナ部７’へつなぐ経路と、Ｂ周波数帯用のチューナ部１４へつなぐ経路とを、切り替え選択することが可能となっている。それぞれのアンテナは、制御部２とアンテナ経路切替制御部１２とアンテナ切替器１３とによって、択一選択されて使用され、また、チューナ部７’への信号経路とチューナ部１４への信号経路は、制御部２と信号経路切替制御部３と経路切替器４とによって、択一選択されて使用される。
【００７０】
受信機はアンテナの状態を調査するために、制御部２から測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ（例えば、テレビ受信機では１／２波長の八木アンテナが一般的であるため、これと同一エレメント長で３／２波長で定在波が立つ周波数に設定する）、ＳＷＲ測定部６でＳＷＲ値を測定する。そして、制御部２は、一定の値が得られた周波数が存在すれば、その結果より現在のアンテナがどの周波数帯用のものかを判定する。また、もう一方のアンテナを調査するために、制御部２からアンテナ経路切替制御部１２に対して、アンテナ経路切替指示を行い、これによって、アンテナ切替器１３が現在と違うアンテナへと接続を切り替え、同様に、制御部２は、測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ、ＳＷＲ測定部６でＳＷＲ値を測定する。そして、同様に、制御部２は、一定の値が得られた周波数が存在すれば、調査のために切り替えたアンテナがどの周波数帯用のものかを判定する。
【００７１】
制御部２は、これらの判定結果をもとに、アンテナ１とアンテナ１１がＡ周波数帯用のチューナ部７’とＢ周波数帯用のチューナ部１４で利用可能であるかを判定し、その組み合わせ情報を、チューナとアンテナの組み合わせ記憶部１５へ格納させる。そして、利用者が受信機を使用する際には、その選局周波数に応じてチューナとアンテナの組み合わせ記憶部１５の情報をもとに、いずれのアンテナに接続すべきかを制御部２が判断し、信号系経路とアンテナがそれぞれ選択される。なお、制御部２は、受信機にとっていずれも利用可能な周波数帯用のアンテナあると判断した場合は、よりＳＷＲ値の低い方のアンテナとチューナの組み合わせとし、またいずれのアンテナも利用可能な周波数帯でないと判断した場合も、ＳＷＲ値の低い方のアンテナへの組合せとする。
【００７２】
＜第１２実施形態＞
図１２は、本発明の第１２実施形態に係る受信機の要部構成を示すブロック図である。本実施形態の受信機の構成は、図８に示した前記第８実施形態の受信機の構成に、ネットワーク通信機能を付加したものとなっている。
【００７３】
本実施形態では、アンテナ１からの信号経路を２つに分岐し、一方はチューナ部７へつなぎ、他方はＳＷＲ測定部６と測定用信号発生部５へつないでいる。通常の受信状態では、チューナ部７への信号の流れだけで受信機として動作する。
【００７４】
受信機は、アンテナの状態を調査するために、制御部２から測定用信号発生部５に対し、その受信機に接続されるアンテナが通常受信用として使用できると予想される周波数帯以外の複数の周波数で、なおかつ、ＳＷＲ値が低い値を示すと予想される電波の送出を指示する。これにより、測定用信号発生部５は、予想される周波数帯以外の複数の周波数で１つの周波数帯ごとに順次電波を送出させ（例えば、テレビ受信機では１／２波長の八木アンテナが一般的であるため、これと同一エレメント長で３／２波長の定在波が立つ周波数に設定する）、ＳＷＲ測定部６でＳＷＲ値を測定する。そして、制御部２は、測定したＳＷＲ値を経年変化情報記憶部１０へ時系列に、もしくは時間情報と共に蓄積させる。また、制御部２は、この蓄積処理の際に、測定したＳＷＲ値と経年変化情報記憶部１０中の最新のＳＷＲ値との比較を行い、一定の変動率や変動量を超えて極端に値が悪くなった場合には、アンテナの損傷であると判断し、また、一定の変動率や変動量の範囲内であったとしても一定の値を超えてしまった場合には、アンテナの劣化と判定して、この判定結果を、ユーザーインターフェース部９によって利用者へ通知するとともに、ネットワーク通信部１６によって、インターネットなどのネットワークを通じて、外部の装置に送出する。これにより、遠隔的のサービス会社やメーカー技術者へ状況を伝えることができる。
【００７５】
なお、アンテナに対する状態の調査処理は、遠隔地の技術者やサービス業者などがインターネットなどを通じて実施させるようにしてもよい。
【００７６】
【発明の効果】
以上のように本発明によれば、受信機に接続されているアンテナの状態を判別するために、放送電波などの妨げにならないよう測定用電磁波を微弱もしくは妨げにならない別の周波数で送出して、アンテナの状態を確認するようにしているので、受信機から使用者へアンテナの状態を明示させたり、受信機の判断で他の適正なアンテナへ切り替えて、問題を解決することが可能となり、かつ、近隣の他の受信機に対して電波漏れによる電波障害を発生させる虞もないものとすることができる。また、アンテナ起因の受信障害か否かを的確に判定できるので、障害の切り分けが明確となり、特にＴＶなどの放送受信機分野も含め、どこに原因が存在するのかを、早期に判明させるのに大きな手助けとなる。
【００７７】
また、受信機とアンテナの接続も、利用者は適正な組み合わせを意識する必要が無く、接続後に受信機が誤りを利用者に知らせたり、受信機側で自動的に組み合わせを変えることが可能であるので、どのアンテナをどの受信機につなぐべきか、またどの端子に接続すべきかを考える必要が無いという使い勝手のよさがあるとともに、誤接続による受信障害も解消される。このため、受信機のアンテナ接続端子に周波数帯（ＶＨＦやＵＨＦなど）表示をする必要がなくなり、また、利用者もアンテナと受信機の接続組み合わせを意識すること無く、任意の組み合わせで接続することが可能となる。
【００７８】
また、ネットワーク通信機能を搭載することで、受信機やアンテナの製造業者・サービス業者が遠隔地でアンテナの障害を把握でき、これまでにない的確な修理、アドバイス、サービスなどが利用者に提供できるようになる。
【図面の簡単な説明】
【図１】本発明の第１実施形態に係る受信機の要部構成を示すブロック図である。
【図２】本発明の第２実施形態に係る受信機の要部構成を示すブロック図である。
【図３】本発明の第３実施形態に係る受信機の要部構成を示すブロック図である。
【図４】本発明の第４実施形態に係る受信機の要部構成を示すブロック図である。
【図５】本発明の第５実施形態に係る受信機の要部構成を示すブロック図である。
【図６】本発明の第６実施形態に係る受信機の要部構成を示すブロック図である。
【図７】本発明の第７実施形態に係る受信機の要部構成を示すブロック図である。
【図８】本発明の第８実施形態に係る受信機の要部構成を示すブロック図である。
【図９】本発明の第９実施形態に係る受信機の要部構成を示すブロック図である。
【図１０】本発明の第１０実施形態に係る受信機の要部構成を示すブロック図である。
【図１１】本発明の第１１実施形態に係る受信機の要部構成を示すブロック図である。
【図１２】本発明の第１２実施形態に係る受信機の要部構成を示すブロック図である。
【符号の説明】
１  アンテナ
２  制御部
３  信号経路切替制御部
４  経路切替器
５  測定用信号発生部
６  ＳＷＲ測定部
７  チューナ部
７’  Ａ周波数帯用のチューナ部
８  信号処理部
９  ユーザーインターフェース部
１０  経年変化情報記憶部
１１  アンテナ
１２  アンテナ経路切替制御部
１３  アンテナ切替器
１５  チューナとアンテナの組み合わせ情報記憶部
１６  ネットワーク通信部
【図１】
0003973958.tif 000002
【図２】
0003973958.tif 000003
【図３】
0003973958.tif 000004
【図４】
0003973958.tif 000005
【図５】
0003973958.tif 000006
【図６】
0003973958.tif 000007
【図７】
0003973958.tif 000008
【図８】
0003973958.tif 000009
【図９】
0003973958.tif 000010
【図１０】
0003973958.tif 000011
【図１１】
0003973958.tif 000012
【図１２】
0003973958.tif 000013